(57)【要約】  ハンドルに接続するためのかみそりカートリッジ（２０）が提供される。かみそりカートリッジ（２０）は、ブレードユニット（２２）と、ブレードユニット（２２）に固定され及びそれを取り囲むフレーム（４０）とを包含する。ブレードユニット（２２）は、複数個のブレード（２３）を包含する。ブレード（２３）は、それぞれ平行なブレード軸線（３６）に沿って延在する。フレーム（４０）は、フレーム外辺部（５０）と、旋回構造体（５５）とを有する。フレーム外辺部（５０）は、かみそりカートリッジ（２０）のためのかみそりカートリッジ外辺部（５１）を画定する。旋回構造体（５５）は、ハンドルに関してかみそりカートリッジ（２０）を旋回するための旋回軸線（６０）を画定する。旋回軸線（６０）は、フレーム（４０）内であって、ブレード軸線（３６）の前方に位置する。
2010523256.tif 000002
【特許請求の範囲】
【請求項１】
ハンドルへの接続用かみそりカートリッジであって、前記かみそりカートリッジが、
複数個のブレードを含み、前記ブレードがそれぞれ平行なブレード軸線に沿って延在する、ブレードユニットと、
前記ブレードユニットに固定され、かつ前記ブレードユニットを取り囲むフレームであって、前記フレームが、フレーム外辺部と、旋回構造体とを有し、前記フレーム外辺部が、前記かみそりカートリッジのためのかみそりカートリッジ外辺部を画定し、前記旋回構造体が、前記ハンドルに対して前記かみそりカートリッジを旋回させるための旋回軸線を画定し、前記旋回軸線が、前記フレーム内であって前記ブレード軸線の前方に位置する、フレームと、を含む、ハンドルへの接続用かみそりカートリッジ。
【請求項２】
前記外辺部が、前面と、対向する後面と、前記前面から前記後面まで延在する１対の側面とを含む、請求項１に記載のかみそりカートリッジ。
【請求項３】
前記旋回軸線から前記前面まで延在する前部と、前記旋回軸線から前記後面まで延在する後部とを更に含む、請求項２に記載のかみそりカートリッジ。
【請求項４】
前記前部が、前記旋回軸線から前記前面まで、約６ｍｍ〜約１２ｍｍまでの距離で延在する、請求項３に記載のかみそりカートリッジ。
【請求項５】
前記後部が、前記旋回軸線から前記後面まで、約１５ｍｍ〜約２０ｍｍまでの距離で延在する、請求項３に記載のかみそりカートリッジ。
【請求項６】
前記前部が、前記後部より小さい、請求項３に記載のかみそりカートリッジ。
【請求項７】
前記前部が、エラストマー部材を含む、請求項３に記載のかみそりカートリッジ。
【請求項８】
前記後部が、潤滑部材を含む、請求項３に記載のかみそりカートリッジ。
【請求項９】
前記ブレードが、前記ブレードユニットに固定されている、請求項１〜８のいずれか一項に記載のかみそりカートリッジ。
【請求項１０】
前記フレームが、上面と下面とを含み、前記旋回軸線が、前記上面の下方かつ前記下面の上方に位置する、請求項１〜９のいずれか一項に記載のかみそりカートリッジ。
【発明の詳細な説明】
【技術分野】
【０００１】
本発明は、かみそりカートリッジを対象とし、より詳細には、ブレードユニットとブレードユニットに固定されたフレームから構築されたかみそりカートリッジを対象とする。
【背景技術】
【０００２】
かみそりカートリッジは、ユーザーの毛髪を切る又は剃るように設計されている。カートリッジは、少なくとも１つの鋭利なエッジを有する１つ以上のブレードを包含する。ブレードは、ハウジングと一般的に称されるものによって適所に保持される。ハウジングは典型的には、全体的な剃毛経験を改善するために１つ以上の機構を包含する。こうした一般的な機構には、ブレードの前方のハウジング上に位置するガード、及びブレードの後ろに位置するキャップが挙げられる。ガードは、多くの場合、エラストマー部材を包含し、キャップは、多くの場合、ある種の潤滑ストリップを包含する。
【０００３】
膨大な数のかみそりカートリッジの形体が、現在市販されている。幾つかは大きいガードを有し、幾つかはより小さいガードを有し、幾つかのガードはフィンのあるエラストマー部材を有し、一方別のガードはくぼみのあるエラストマー部材を有し、幾つかのガードは潤滑ストリップを有する。同様に、幾つかのかみそりカートリッジは、大きいキャップを有し、幾つかはより小さいキャップを有し、幾つかのキャップは、潤滑ストリップを有する。
【発明の概要】
【発明が解決しようとする課題】
【０００４】
消費者の要求を満たすため、多数のデザインが構成されてきた。しかしながら各デザインに多くの労力が費やされるため、多数のデザインは、費用がかさむことになる。即ち、各カートリッジは一から設計され、そのため１つのカートリッジを作製するために使用された金型及び生産設備のいずれも、異なるデザインのカートリッジを作製するために利用することができない。例えば、ジレット（Gillette）（商標）マッハスリー（Mach3）（商標）かみそりカートリッジを作製するために使用された金型及び生産設備は、ジレット（Gillette）（商標）フュージョン（Fusion）（商標）かみそりカートリッジを作製するためには使用され得ない。これにより製品デザインとしてのより高い費用が結果として生じ、鋳造及び生産設備は、各デザインについて別々に実行されなければならない。したがって、消費者の要求を満たすために異なるかみそりカートリッジを製造する費用及び労力を減じるように、選択的デザインへの要求が存在する。
【０００５】
理想的には、ブレードを収納する標準的ブレードユニットから始めることが望まれる。その後、標準的ブレードユニットに様々な形体のフレームを加えるという柔軟性が得られる。ブレードユニットをその最も単純な形態に保つために、カートリッジの旋回部は、フレームの一部であるべきであり、ブレードユニットの一部であるべきではない。
【課題を解決するための手段】
【０００６】
本発明に従って、ハンドルに接続するためのかみそりカートリッジが提供される。かみそりカートリッジは、ブレードユニットに固定され、ブレードユニットを取り囲むフレームを含む。ブレードユニットは、複数個のブレードを含む。ブレードは、それぞれ平行なブレード軸線に沿って延在する。フレームは、フレーム外辺部と旋回構造体とを有する。フレーム外辺部は、かみそりカートリッジのためのかみそりカートリッジ外辺部を画定する。旋回構造体は、ハンドルに対してかみそりカートリッジを旋回するための旋回軸線を画定する。旋回軸線は、フレーム内であってブレード軸線の前方に位置する。
【０００７】
外辺部は、前面と、対向する後面と、前面から後面まで延在する１対の側面とを含む。カートリッジは、旋回軸線から前面まで延在する前部と、旋回軸線から後面まで延在する後部とを含む。好ましくは、前部は後部より寸法において少ないか又は小さい。
【０００８】
本発明の別の態様により、ハンドルに接続するためのかみそりカートリッジが提供される。かみそりカートリッジは、ブレードユニットに固定され、ブレードユニットを取り囲むフレームを含む。ブレードユニットは、ブレードユニットに固定された複数個のブレードを含む。ブレードは、それぞれ平行なブレード軸線に沿って延在する。フレームは、フレーム外辺部と旋回構造体とを有する。フレーム外辺部は、かみそりカートリッジのためのかみそりカートリッジ外辺部を画定する。旋回構造体は、ハンドルに対してかみそりカートリッジを旋回するための旋回軸線を画定する。旋回軸線は、フレーム内であってブレード軸線の前方に位置する。
【０００９】
本発明の別の態様に従って、ハンドルに接続するためのかみそりカートリッジが提供される。かみそりカートリッジは、ブレードユニットに固定され及びブレードユニットを取り囲むフレームを含む。ブレードユニットは、ブレードユニットに固定された複数個のブレードを含む。ブレードは、それぞれ平行なブレード軸線に沿って延在する。フレームは、フレーム外辺部と、上面と、下面と、旋回構造体とを有する。フレーム外辺部は、かみそりカートリッジのためのかみそりカートリッジ外辺部を画定する。旋回構造体は、ハンドルに対してかみそりカートリッジを旋回するための旋回軸線を画定する。旋回軸線は、フレーム内、ブレード軸線の前方、上面の下方、及び下面の上方に位置する。
【図面の簡単な説明】
【００１０】
本明細書は、本発明を構成するとみなされる対象を具体的に指摘し、明確に請求する請求項をもって結論とするが、本発明は添付の図面とともに考慮される次の説明からより良好に理解されるものと考えられる。
【図１】本発明のかみそりカートリッジの平面図。
【図２】図１のかみそりカートリッジの底面図。
【図３】フレームなしに示された図１のブレードユニットの平面図。
【図４】図３のブレードユニットの斜視図。
【図５】ブレードユニットなしに示された図１のフレームの底面図。
【図６】図５のフレームの斜視図。
【図７】本発明の別のかみそりカートリッジの平面図。
【発明を実施するための形態】
【００１１】
ここで図１〜２を参照すると、かみそりカートリッジ２０が示されている。かみそりカートリッジ２０は、ブレードユニット２２と、ブレードユニット２２に固定され、ブレードユニット２２を取り囲むフレーム４０とを含む。ブレードユニット２２は、各々がブレードエッジ２４を含む複数個のブレード２３を含む。
【００１２】
ここで図３〜４を参照すると、ブレードユニット２２は、第１側壁２５と、第２側壁２６と、第１側壁２５と第２側壁２６とを相互接続する端壁２７及び２８を備える。第１側壁２５及び第２側壁２６は、第１接続部材３０及び第２接続部材３２を備える。好ましくは、第１接続部材３０は、第１及び第２側壁２５及び２６の各々から外側に延在する突起３１を含む。好ましくは、第２接続部材３２は、第１及び第２側壁２５及び２６の各々の中に凹部３３を含む。
【００１３】
ブレード２３は、ブレードユニット２２内に、１対のクリップ３５によって固定される。各クリップ３５は、端壁２７及び２８に隣接したブレードユニット２２の末端部に位置付けられる。ブレード２３は、ブレードユニット２２内にクリップ３５によって、ブレードエッジ２４がクリップ３５の底面に接触するように固定される。ブレード２３は、それぞれ平行なブレード軸線３６に沿って延在する。
【００１４】
ここで図５〜６を参照すると、フレーム４０は、第１内壁４３と、第１内壁４３から相隔たる第２内壁４４を備えて、開口部４５を画定する。開口部４５は、ブレードユニット２２を受容するように大きさを決められ、成形される。第１内壁４３及び第２内壁４４は、第１接続部材４６及び第２接続部材４８を備える。好ましくは、第１接続部材４６は、第１及び第２内壁４３及び４４の各々の中にノッチ４７を含む。好ましくは、第２接続部材４８は、第１及び第２内壁の各々から開口部４５の中へと外側に延在する突起４９を含む。
【００１５】
内壁４３及び４４上の第１接続部材４６は、側壁２５及び２６上の第１接続部材３０を受容するように適合される。内壁４３及び４４上の第２接続部材４８は、側壁２５及び２６上の第２接続部材３２を受容するように適合される。フレーム４０をブレードユニット２０に固定する際に、突起３１はノッチ４７の中に摺動し、突起４９は凹部３３の中にはめ込まれる。
【００１６】
ここで図１及び２を参照すると、フレーム４０は、外辺部５０を有する。フレーム４０の外辺部５０は、かみそりカートリッジ２０のためのかみそりカートリッジ外辺部５１を画定する。外辺部５０は、前面５２と、後面５３と、前面５２から後面５３まで延在する１対の側面５４とを含む。フレーム４０はまた、上面６２と、対向する下面６４とを有する。
【００１７】
ここで図２、５、及び６を参照すると、フレーム４０の各末端部に旋回構造体５５が存在する。旋回構造体５５は、フレーム４０の内面５７から第１内壁４３まで延在するアーム５６を包含して凹部５８を画定する。旋回構造体５５の凹部５８は、かみそりカートリッジ２０のための旋回軸線６０を画定する。
【００１８】
旋回軸線６０は、フレーム４０内、上面６２の下方、下面６４の上方、及びブレード軸線３６の前方に位置する。旋回軸線６０は、かみそりカートリッジ２０を前部７０と後部７４とに分ける。前部７０は、旋回軸線６０から前面５２まで延在する。後部７４は、旋回軸線６０から後面５３まで延在する。好ましくは、前部は後部より少ない。好ましくは、前部７０は、旋回軸線６０から前面５２まで、約６ｍｍから約１２ｍｍまでの距離により延在する。好ましくは、後部７４は、旋回軸線６０から後面５３まで、約１５ｍｍから約２０ｍｍまでの距離により延在する。
【００１９】
ここで図１を参照すると、上面６２の前部７０は、ガード８０を包含する。ガード８０は、ブレードエッジ２３に先行して又はブレードエッジ２３の前に皮膚に接触するフレーム４０の上面６２の部分である。ガード８０は、好ましくはエラストマー部材８２を含む。
【００２０】
上面６２の後部７４は、キャップ８４を包含する。キャップ８４は、ブレードエッジ２３の後に皮膚に接触するフレーム４０の上面６２の部分である。キャップ８４は、好ましくは潤滑部材８６を含む。
【００２１】
ここで図７を参照すると、かみそりカートリッジ１２０が示されている。かみそりカートリッジ１２０は、ブレードユニット１２２と、ブレードユニット１２２に固定され、ブレードユニット１２２を取り囲むフレーム１４０とを含む。ブレードユニット１２２は、各々がブレードエッジ１２４を含む複数個のブレード１２３を含む。かみそりカートリッジ１２０は、ブレード１２３をブレードユニット１２２内に固定するためにクリップが使用されないことを除いて、図１のかみそりカートリッジ２０と同一である。代わりに、フレーム１４０の一部は、ブレードユニット１２２の各末端部を越えて延在して、ブレード１２３をブレードユニット１２２内に維持する。図７のフレーム１４０の１つの末端部の一部を切り取ったものは、下にあるブレードユニット１２２内のブレード１２３を露呈している。
【００２２】
本明細書に開示される寸法及び値は、列挙された正確な数値に厳しく限定されるものとして理解されるべきではない。それよりむしろ、特に指定されない限り、こうした各寸法は、列挙された値とその値周辺の機能的に同等の範囲の両方を意味することを意図する。例えば、「４０ｍｍ」として開示された寸法は、「約４０ｍｍ」を意味することを意図する。
【００２３】
「発明を実施するための形態」で引用したすべての文献は、関連部分において本明細書に参考として組み込まれるが、いずれの文献の引用も、それが本発明に対する先行技術であることを容認するものと解釈されるべきではない。本書における用語のいずれかの意味又は定義が、参考として組み込まれた文献における同一の用語のいずれかの意味又は定義と相反する限りにおいては、本書においてその用語に与えられた意味又は定義が適用されるものとする。
【００２４】
以上、本発明の特定の実施形態を図示、説明したが、本発明の趣旨及び範囲から逸脱することなく他の様々な変更及び改変を行うことが可能である点は当業者には自明であろう。したがって本発明の範囲に含まれるすべてのこうした変更及び改変を付属の特許請求の範囲において網羅するものである。
【図１】
2010523256.tif 000003
【図２】
2010523256.tif 000004
【図３】
2010523256.tif 000005
【図４】
2010523256.tif 000006
【図５】
2010523256.tif 000007
【図６】
2010523256.tif 000008
【図７】
2010523256.tif 000009
【国際調査報告】
2010523256.tif 000010
2010523256.tif 000011